【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラにおいて、
前記電子カメラが充電台に載置された旨を検知する検知手段と、
前記検知手段により前記電子カメラが前記充電台に載置された旨が検知されたとき、前記撮像部による撮像動作を開始する撮像開始手段と、
前記撮像開始手段により前記撮像部による撮像動作が開始された後、該撮像部にて撮像された画像データを前記充電台以外の所定の通信先に無線通信によって連続的に送信する無線通信手段と、
を有することを特徴とする電子カメラ。
【請求項２】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラの制御方法において、
前記電子カメラが充電台に載置された旨を検知する検知工程と、
前記検知工程により前記電子カメラが前記充電台に載置された旨が検知されたとき、前記撮像部による撮像動作を開始する撮像開始工程と、
前記撮像開始工程により前記撮像部による撮像動作が開始された後、該撮像部にて撮像された画像データを前記充電台以外の所定の通信先に無線通信によって連続的に送信する無線通信工程と、
を有することを特徴とする電子カメラの制御方法。
【請求項３】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台であって、
前記充電台に載置された前記電子カメラの姿勢を変化させるべく該充電台の姿勢を制御する姿勢制御手段と、
前記電子カメラから転送されてきた画像データを所定の通信先に無線通信によって連続的に送信する無線通信手段と、
を有することを特徴とする充電台。
【請求項４】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台の制御方法であって、
前記充電台に載置された前記電子カメラの姿勢を変化させるべく該充電台の姿勢を制御する姿勢制御工程と、
前記電子カメラから転送されてきた画像データを所定の通信先に無線通信によって連続的に送信する無線通信工程と、
を有することを特徴とする充電台の制御方法。
【請求項５】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラと、該電子カメラを載置して該電子カメラの内蔵電池を充電する充電台とを有する監視システムであって、
前記電子カメラは、該電子カメラが充電台に載置された旨を検知する検知手段と、該検知手段により該電子カメラが該充電台に載置された旨が検知されたとき、前記撮像部による撮像動作を開始する撮像開始手段と、前記撮像開始手段により前記撮像部による撮像動作が開始された後、該撮像部にて撮像された画像データを前記充電台以外の所定の通信先に無線通信によって連続的に送信する無線通信手段を有し、
前記充電台は、該充電台に載置された前記電子カメラの姿勢を変化させるべく該充電台の姿勢を制御する姿勢制御手段を有することを特徴とする監視システム。
【請求項６】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラと、該電子カメラを載置して該電子カメラの内蔵電池を充電する充電台とを用いた監視方法であって、
前記電子カメラは、該電子カメラが充電台に載置された旨を検知する検知工程と、該検知工程により該電子カメラが該充電台に載置された旨が検知されたとき、前記撮像部による撮像動作を開始する撮像開始工程と、前記撮像開始工程により前記撮像部による撮像動作が開始された後、該撮像部にて撮像された画像データを前記充電台以外の所定の通信先に無線通信によって連続的に送信する無線通信工程を有し、
前記充電台は、該充電台に載置された前記電子カメラの姿勢を変化させるべく該充電台の姿勢を制御する姿勢制御工程を有することを特徴とする監視方法。
【請求項７】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラにより実行される制御プログラムであって、
前記電子カメラが充電台に載置された旨を検知し、前記電子カメラが前記充電台に載置された旨が検知されたとき、前記撮像部による撮像動作を開始する内容と、前記撮像部による撮像動作が開始された後、該撮像部にて撮像された画像データを前記充電台以外の所定の通信先に無線通信によって連続的に送信する内容とを有することを特徴とする制御プログラム。
【請求項８】  光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台により実行される制御プログラムであって、
前記充電台に載置された前記電子カメラの姿勢を変化させるべく該充電台の姿勢を制御する内容と、前記電子カメラから転送されてきた画像データを所定の通信先に無線通信によって連続的に送信する内容とを有することを特徴とする制御プログラム。
【手続補正２】
【補正対象書類名】明細書
【補正対象項目名】００１１
【補正方法】変更
【補正の内容】
【００１１】
【課題を解決するための手段】
上記課題を解決するため、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラにおいて、前記電子カメラが充電台に載置された旨を検知する検知手段と、前記検知手段により前記電子カメラが前記充電台に載置された旨が検知されたとき、前記撮像部による撮像動作を開始する撮像開始手段と、前記撮像開始手段により前記撮像部による撮像動作が開始された後、該撮像部にて撮像された画像データを前記充電台以外の所定の通信先に無線通信によって連続的に送信する無線通信手段とを有している。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラの制御方法において、前記電子カメラが充電台に載置された旨を検知する検知工程と、前記検知工程により前記電子カメラが前記充電台に載置された旨が検知されたとき、前記撮像部による撮像動作を開始する撮像開始工程と、前記撮像開始工程により前記撮像部による撮像動作が開始された後、該撮像部にて撮像された画像データを前記充電台以外の所定の通信先に無線通信によって連続的に送信する無線通信工程とを有している。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台であって、前記充電台に載置された前記電子カメラの姿勢を変化させるべく該充電台の姿勢を制御する姿勢制御手段と、前記電子カメラから転送されてきた画像データを所定の通信先に無線通信によって連続的に送信する無線通信手段とを有している。
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】変更
【補正の内容】
【００３２】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台の制御方法であって、前記充電台に載置された前記電子カメラの姿勢を変化させるべく該充電台の姿勢を制御する姿勢制御工程と、
前記電子カメラから転送されてきた画像データを所定の通信先に無線通信によって連続的に送信する無線通信工程とを有している。
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】変更
【補正の内容】
【００３９】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラと、該電子カメラを載置して該電子カメラの内蔵電池を充電する充電台とを有する監視システムであって、前記電子カメラは、該電子カメラが充電台に載置された旨を検知する検知手段と、該検知手段により該電子カメラが該充電台に載置された旨が検知されたとき、前記撮像部による撮像動作を開始する撮像開始手段と、前記撮像開始手段により前記撮像部による撮像動作が開始された後、該撮像部にて撮像された画像データを前記充電台以外の所定の通信先に無線通信によって連続的に送信する無線通信手段を有し、前記充電台は、該充電台に載置された前記電子カメラの姿勢を変化させるべく該充電台の姿勢を制御する姿勢制御手段を有している。
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】変更
【補正の内容】
【００４９】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラと、該電子カメラを載置して該電子カメラの内蔵電池を充電する充電台とを用いた監視方法であって、前記電子カメラは、該電子カメラが充電台に載置された旨を検知する検知工程と、該検知工程により該電子カメラが該充電台に載置された旨が検知されたとき、前記撮像部による撮像動作を開始する撮像開始工程と、前記撮像開始工程により前記撮像部による撮像動作が開始された後、該撮像部にて撮像された画像データを前記充電台以外の所定の通信先に無線通信によって連続的に送信する無線通信工程を有し、前記充電台は、該充電台に載置された前記電子カメラの姿勢を変化させるべく該充電台の姿勢を制御する姿勢制御工程を有している。
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】
【手続補正４６】
【補正対象書類名】明細書
【補正対象項目名】００５５
【補正方法】削除
【補正の内容】
【手続補正４７】
【補正対象書類名】明細書
【補正対象項目名】００５６
【補正方法】削除
【補正の内容】
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】削除
【補正の内容】
【手続補正５０】
【補正対象書類名】明細書
【補正対象項目名】００５９
【補正方法】変更
【補正の内容】
【００５９】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラにより実行される制御プログラムであって、前記電子カメラが充電台に載置された旨を検知し、前記電子カメラが前記充電台に載置された旨が検知されたとき、前記撮像部による撮像動作を開始する内容と、前記撮像部による撮像動作が開始された後、該撮像部にて撮像された画像データを前記充電台以外の所定の通信先に無線通信によって連続的に送信する内容とを有している。
【手続補正５１】
【補正対象書類名】明細書
【補正対象項目名】００６０
【補正方法】変更
【補正の内容】
【００６０】
また、本発明は、光学像を光電変換素子により光電変換し、該光電変換素子から得られるアナログの画像データをデジタルデータに変換する撮像部を有し、該撮像部にて撮像された画像データを所定の操作子の操作に応答して記録媒体に記録する電子カメラを載置して該電子カメラの内蔵電池を充電する充電台により実行される制御プログラムであって、前記充電台に載置された前記電子カメラの姿勢を変化させるべく該充電台の姿勢を制御する内容と、前記電子カメラから転送されてきた画像データを所定の通信先に無線通信によって連続的に送信する内容とを有している。